【事件の表示】
　特願２０１２−２１８０４７「電子機器、制御方法及び制御プログラム」拒絶査定不服審判事件〔平成２６年　４月２１日出願公開、特開２０１４−　７１７２４〕について、次のとおり審決する。
【結　論】
　本件審判の請求は、成り立たない。
【理　由】
１．手続の経緯・本願発明
　本願は、平成２４年９月２８日の出願であって、平成２７年２月１０日付けで拒絶理由が通知され、同年４月１６日付けて手続補正がなされたが、同年８月３１日付けで拒絶査定がなされ、これに対して、同年１２月４日に拒絶査定不服の審判が請求されるとともに手続補正がなされ、平成２８年６月３日付けで当審において、拒絶理由が通知され、同年７月２６日付けで手続補正がなされたものである。
　そして、本願の特許請求の範囲の請求項１に係る発明（以下、「本願発明」という。）は、平成２８年７月２６日付け手続補正書の特許請求の範囲の請求項１に記載された次のとおりのものと認める。
　「【請求項１】
　アイコンを含む画面を表示するディスプレイと、
　複数の前記画面から少なくとも１つの前記画面を前記ディスプレイに表示させるコントローラと、を備え、
　前記コントローラは、前記ディスプレイに表示させている１つの前記画面において、前記画面の特定の位置に前記アイコンを移動させる操作を検出した場合に、前記複数の画面のそれぞれに対応する複数の一覧用画面が同時に表示される一覧を前記ディスプレイに表示させ、
　前記ディスプレイに表示させている１つの前記画面において、前記画面の特定の位置に前記アイコンを移動させる操作を検出するまでは、前記画面の特定の位置に前記アイコンを移動させている間は、前記複数の画面のそれぞれに対応する複数の一覧用画面が同時に表示される一覧を前記ディスプレイに表示させず、
　前記特定の位置は、前記ディスプレイに表示させている前記画面の一部の位置であり、
　前記一覧には前記画面に対応する一覧用画面が表示され、該一覧用画面のうちの少なくとも１つは、前記コントローラが、前記画面の特定の位置に前記アイコンを移動させる操作を検出した場合に、前記ディスプレイに表示されていなかった画面に対応する一覧用画面である電子機器。」
２．引用例等
　当審の拒絶理由に引用された、本願の出願日前に頒布された、特開２０１２−１５５４１６号公報（以下「引用例」という。）には、図面とともに以下の事項が記載されている。
ａ）「【００１９】
  以下、本発明の実施の形態について、図面を参照して説明する。図１（ａ）および図１（ｂ）は、携帯電話機１の外観構成を示す図である。図１（ａ）および図１（ｂ）は、それぞれ、正面図および側面図である。
【００２０】
  
携帯電話機１
タッチパネルが配され
タッチパネルは、画像を表示するディスプレイ１１と、ディスプレイ１１に重ねられるタッチセンサ１２とを備え
【００２１】
  ディスプレイ１１は、表示部に相当する。
ディスプレイ１１は、液晶パネル１１ａ
により構成され
液晶パネル１１ａは、画像を表示するための表示面１１ｃを有し、
中略
【００２６】
  図２は、携帯電話機１の全体構成を示すブロック図である。
【００２７】
  本実施の形態の
携帯電話機１は、上述した各構成要素の他、ＣＰＵ１００、メモリ２００
を備え
ｂ）「【００３６】
  
メモリ２００には、
アイコン５００が配置される画面（以下、「画面群」と言う。）Ｐを縮小した画像（以下、「縮小画像群」と言う。）Ｒをディスプレイ１１の表示面１１ｃに表示するための制御プログラムが含まれ
【００３７】
  メモリ２００には、各種のデータファイルが記憶されている。たとえば、カメラモジュール１５で撮影した情報、通信モジュール３０３を介して外部から取り込んだ情報、ユーザ操作によりタッチセンサ１２を介して入力された情報などが、対応するデータファイルに記録されている。また、メモリ２００には、画面群Ｐの画像データが記録されたファイルも記憶されている。
【００３８】
  
メモリ２００には、位置定義テーブルが記憶され
位置定義テーブルには、表示面１１ｃに表示されている画像の位置と、画像が示す内容とが対応付けられ
画像には、文字と、アイコン５００やボタンなどの絵とが含まれ
【００３９】
  メモリ２００には、位置関係テーブルが記憶されている。
位置関係テーブルには、縮小画像群Ｒ上の位置と画面群Ｐ上の位置とが対応付けられ
【００４０】
  ＣＰＵ１００は、メモリ２００の位置定義テーブルを参考にしつつ、タッチセンサ１２からの位置信号に応じた制御プログラムを特定する。ＣＰＵ１００は、制御プログラムにより、カメラモジュール１５、マイクロホン１３、通信モジュール３０３、パネルバックライト１１ｂ、液晶パネル１１ａ、スピーカ１４を動作させる。これにより、通話機能および電子メール機能などの各種アプリケーションが実行される。
【００４１】
  
ＣＰＵ１００は、表示制御部として、ユーザからタッチセンサ１２を介して入力された情報などに基づき、ディスプレイ１１を制御する
【００４２】
  
たとえば、ＣＰＵ１００は、画面群Ｐを表示面１１ｃに表示
画面群Ｐは１つまたは２つ以上の画面を有
画面群Ｐの中から１つの画面を表示面１１ｃに表示
ｃ）「【００４６】
  
ＣＰＵ１００は、表示制御部として、画面群Ｐを縮小した縮小画像群Ｒを生成し、縮小画像群Ｒを表示面１１ｃに表示
縮小画像群Ｒは、各画面に相当する縮小画像を有し、各縮小画像は各画面に配置されたアイコン５００を含む
ｄ）「【００４９】
  
この縮小画像群Ｒは、ユーザにより操作されたタイミングや予め定められたタイミングに表示され
たとえば、ユーザにより、
アイコン５００を移動する操作がされた時
が挙げられ
ｅ）「【００７７】
    ＜第３実施形態＞
  第３実施形態の携帯電話機１は、
縮小画像群Ｒを用いて、画面群Ｐの画面に配されたアイコン５００を他の画面に移動させる機能を有
【００７８】
  ＣＰＵ１００は、表示制御部として、ユーザによる入力位置に応じて画面群Ｐ上のアイコン５００を移動させるように表示する。
【００７９】
  ＣＰＵ１００は、実行部として、ユーザによる入力位置に表示されている縮小画像および縮小画像が示す処理を特定して、特定した処理を実行する。
【００８０】
  図８は、画面群Ｐのアイコン５００を移動するＣＰＵ１００の処理手順を示すフローチャートである。図９（ａ）〜図９（ｃ）および図１０（ａ）〜図１０（ｃ）は、アイコン５００を移動させる際に表示面１１ｃに表示される画面群Ｐを表わす。
【００８１】
  
たとえば、
画面Ｐ２が表示面１１ｃに表示され
この画面Ｐ２のアイコン５００上にユーザが指でタッチすると
）、タッチによる入力位置が所定時間内に変位するか否かが判断され
【００８２】
  一方、図９（ａ）に示すように、
所定時間内に“アプリ９”のアイコン５００上から矢印に示す如く指が移動すると、入力位置が所定時間内に移動したと判断され
これにより、アイコン５００の移動操作がなされ、入力位置に応じて“アプリ９”のアイコン５００の位置が移動させられ
【００８３】
  
ユーザが指をアイコン５００上から縮小画像群Ｒ上に移動させると、入力位置が縮小画像群Ｒの範囲内であると判断され
【００８４】
  
さらに、縮小画像群Ｒ内における入力位置が求められ
入力位置は縮小画像群Ｒの縮小画像Ｒ４にあると判断され
そして、縮小画像Ｒ４に対応する画面Ｐ４が遷移先画面であると特定され
【００８５】
  一方、遷移先画面が現在の表示画面と異なれば（Ｓ３０６:ＮＯ）、遷移先画面が新たな表示画面に設定される（Ｓ３０７）。そして、画面群Ｐの縮小画像群Ｒがメモリ２００に形成される（Ｓ３０８）。このとき、図９（ｃ）に示すように、“アプリ９”のアイコン５００が画面Ｐ２から縮小画像群Ｒ上に移動しているため、縮小画像群Ｒの縮小画像Ｒ２には“アプリ９”のアイコン５００が表示されなくなる。また、表示画面が画面Ｐ２から画面Ｐ４に変化するため、画面Ｐ４に相当する縮小画像Ｒ４が強調表示される。
【００８６】
  このように縮小画像Ｒ４が強調表示された縮小画像群Ｒが画面Ｐ４に合成され、画面Ｐ４が表示される（Ｓ３０９）。ここで、“アプリ９”のアイコン５００は、縮小画像群Ｒの縮小画像Ｒ４上に表示されている。
【００８７】
  なお、指が表示面１１ｃにタッチしてから表示面１１ｃからリリースされるまで間、上記の通りに画面群Ｐが表示されると共に、タッチセンサ１２からの位置信号が監視され、位置信号に基づく入力位置が一時的に記憶される。
【００８８】
  そして、“アプリ９”のアイコン５００上にあった指が表示面１１ｃから離されると、タッチセンサ１２からの位置信号が入力されなくなるので、指がリリースされたと判断される（Ｓ３１０:ＹＥＳ）。このため、位置信号の入力が無くなる直前の入力位置が、一時的に記憶された入力位置の中から取得され、リリース位置として設定される（Ｓ３１１）。
【００８９】
  
続いて、リリース位置が縮小画像群Ｒの範囲内であるか否かが判断され
【００９０】
  図９（ｃ）に示すように、
縮小画像群Ｒ上で指が表示面１１ｃからリリースされると
画面Ｐ４上の所定位置にアイコン５００が移動する
【００９１】
  一方、図１０（ｂ）に示すように、指のリリース位置が縮小画像群Ｒの外であれば（Ｓ３１２:ＮＯ）、画面Ｐ４上のリリース位置が特定され、リリース位置にアイコン５００が移動する（Ｓ３１６）。これにより、“アプリ９”のアイコン５００が画面Ｐ４のユーザが指定した位置に配置される。このため、画面群Ｐの縮小画像群Ｒが再び形成され（Ｓ３１４）、縮小画像群Ｒを合成した画面Ｐ４が表示面１１ｃに表示される（Ｓ３１５）。
【００９２】
  以上、本実施形態によれば、ユーザは縮小画像群Ｒを見ながら、画面群Ｐの各画面に配置されているアイコン５００の種類を考慮に入れて、アイコン５００の再配置先の画面を選択することができる。
【００９３】
  また、本実施形態によれば、ユーザはアイコン５００を縮小画像群Ｒの縮小画像に移動させるだけで、アイコン５００が移動された縮小画像に対応する画面へ画面群Ｐが遷移する。このため、ユーザは、アイコン５００を移動しながら、画面群Ｐを遷移する手間が無く、目的の画面にアイコン５００を簡単に移動させることができる。
【００９４】
  さらに、本実施形態によれば、ユーザは、アイコン５００を縮小画像群Ｒに移動させた後、リリースにより移動操作を終了すると、画面の所定の位置にアイコン５００が配置される。このため、ユーザは、所望の画面にアイコン５００を簡単に移動させることができる。」（【００７７】〜【００９４】の記載。）
　してみると、引用例には以下の発明（以下、「引用例記載の発明」という。）が記載されている。 
　「タッチパネルが配されて、タッチパネルは、画像を表示するディスプレイ１１と、ディスプレイ１１に重ねられるタッチセンサ１２とを備え、
　ディスプレイ１１は、液晶パネル１１ａにより構成され、液晶パネル１１ａは、画像を表示するための表示面１１ｃを有し、
　ＣＰＵ１００、メモリ２００、を備えている携帯電話機１において、
  メモリ２００には、アイコン５００が配置される画面（以下、「画面群」と言う。）Ｐを縮小した画像（以下、「縮小画像群」と言う。）Ｒをディスプレイ１１の表示面１１ｃに表示するための制御プログラムが含まれ、
　メモリ２００には、位置定義テーブルが記憶され、位置定義テーブルには、表示面１１ｃに表示されている画像の位置と、画像が示す内容とが対応付けられており、画像には、文字と、アイコン５００やボタンなどの絵とが含まれ、
　また、位置関係テーブルには、縮小画像群Ｒ上の位置と画面群Ｐ上の位置とが対応付けられており、
  ＣＰＵ１００は、表示制御部として、ユーザからタッチセンサ１２を介して入力された情報などに基づき、ディスプレイ１１を制御し、
  たとえば、ＣＰＵ１００は、画面群Ｐを表示面１１ｃに表示し、画面群Ｐは１つまたは２つ以上の画面を有し、画面群Ｐの中から１つの画面を表示面１１ｃに表示し、
  ＣＰＵ１００は、表示制御部として、画面群Ｐを縮小した縮小画像群Ｒを生成し、縮小画像群Ｒを表示面１１ｃに表示し、縮小画像群Ｒは、各画面に相当する縮小画像を有し、各縮小画像は各画面に配置されたアイコン５００を含むものであり、
  この縮小画像群Ｒは、ユーザにより操作されたタイミングや予め定められたタイミングに表示され、たとえば、ユーザにより、アイコン５００を移動する操作がされた時が挙げられ、
  縮小画像群Ｒを用いて、画面群Ｐの画面に配されたアイコン５００を他の画面に移動させる機能を有し、
  たとえば、画面Ｐ２が表示面１１ｃに表示され、この画面Ｐ２のアイコン５００上にユーザが指でタッチすると、タッチによる入力位置が所定時間内に変位するか否かが判断され、所定時間内に“アプリ９”のアイコン５００上から矢印に示す如く指が移動すると、入力位置が所定時間内に移動したと判断され、これにより、アイコン５００の移動操作がなされ、入力位置に応じて“アプリ９”のアイコン５００の位置が移動させられ、
  ユーザが指をアイコン５００上から縮小画像群Ｒ上に移動させると、入力位置が縮小画像群Ｒの範囲内であると判断され、さらに、縮小画像群Ｒ内における入力位置が求められ、入力位置は縮小画像群Ｒの縮小画像Ｒ４にあると判断され、そして、縮小画像Ｒ４に対応する画面Ｐ４が遷移先画面であると特定され、
  続いて、リリース位置が縮小画像群Ｒの範囲内であるか否かが判断され、縮小画像群Ｒ上で指が表示面１１ｃからリリースされると、画面Ｐ４上の所定位置にアイコン５００が移動する
　携帯電話機１。」  
　当審の拒絶理由に引用された、本願の出願日前に頒布された、米国特許出願公開第２０１２／００８４６９２号明細書（以下「周知例１」という。）には、図面とともに以下の事項が記載されている。
ｆ）「[0105]FIGS. 4A and 4B  are a drawing illustrating an implementation of moving a specific icon  1 a on a specific page displayed on the mobile terminal  100 .
[0106]Referring to  FIGS. 4A and 4B , to move the specific icon  1a displayed on the specific page, a specific user manipulation of dragging the specific icon  1a to a target page (refer to  FIG. 4A ) and then dropping the specific icon  1a on the target page (refer to  FIG. 4B ) is required.
[0107]For example, the controller  180  can select the specific icon  1a in response to an input touch and display a page  302  following the current page  301  on the touch screen  151  in response to a touch of moving the specific icon  1a to the right edge of the current page  301 , for example, a touch-and-move or a drag (refer to  FIG. 4A ). Here, the controller  180  can retrieve page information about the page  302  from the memory  160  and display the page information on the touch screen  151 . The page information stored in the memory  160  may include information representing that a specific icon (including a graphical object) is located at a specific position of a specific page.」（当審訳：[0105]図4Aおよび図4Bは、移動端末100に表示される特定のページ上の特定のアイコン1aを移動させる実施形態を示す図である。
[0106]図4Aおよび図4Bを参照すると、特定のページに表示される特定のアイコン1aを移動させるために、対象ページ(図4A参照)に特定のアイコン1aをドラッグし、対象ページ(図4B参照)上に特定のアイコン1aをドロップする、特定のユーザ操作が必要となる。
[0107]例えば、コントローラ180は、タッチ入力に応答して、特定のアイコン1aを選択し、特定のアイコン1aを現ページ301の右端へ移動させるタッチ、例えばタッチと移動またはドラッグ(図4A参照)に応答して、タッチスクリーン151に現在のページ301の次のページ302を表示することができる。ここで、コントローラ180は、メモリ160からページ302のページ情報を検索して、タッチスクリーン151にページ情報を表示することができる。メモリ160に格納されたページ情報は、特定のアイコン(図形オブジェクトを含む)が特定のページの特定の位置に配置されていることを示す情報を含むことができる。）（[0105]〜[0107]の記載。）
　当審の拒絶理由に引用された、本願の出願日前にインターネットを通じて公衆に利用可能であった、ｉＰｈｏｎｅ３Ｇのホーム画面のアイコンを並べ替えるには，［online］，２００９年１月７日，［平成２８年６月１日検索］，インターネット、＜ＵＲＬ：https://dekiru.net/article/682/＞（以下「周知例２」という。）には、図面とともに以下の事項が記載されている。
ｇ）「［ヒント］　次ページに並べたいときは
手順３でアイコンをドラッグするときに、画面の左右に移動して少し待つと、ページが切り替わります。そのままドラッグして、好きな位置まで移動します。また画面の右端へ移動したときのみ、新しい［ホーム］画面を増やすことができます。アイコン整理にぜひ活用してください。」
３．対比
　
本願発明と引用例記載の発明とを対比する。
あ）引用例記載の発明の「ディスプレイ１１」は、「アイコン５００が配置される画面（以下、「画面群」と言う。）Ｐ」を表示する「表示面１１ｃ」を有するものであるから、本願発明の「アイコンを含む画面を表示するディスプレイ」に相当する。
い）引用例記載の発明の「ＣＰＵ１００」は、「画面群Ｐは１つまたは２つ以上の画面を有し、画面群Ｐの中から１つの画面を表示面１１ｃに表示」するものであるから、本願発明の「複数の前記画面から少なくとも１つの前記画面を前記ディスプレイに表示させるコントローラ」に相当する。
う）引用例記載の発明の「縮小画像群Ｒ」は、「画面群Ｐを縮小」したものであり、「各画面に相当する縮小画像を有し、各縮小画像は各画面に配置されたアイコン５００を含むもの」であるから、引用例記載の発明の「縮小画像群Ｒ」は本願発明の「前記複数の画面のそれぞれに対応する複数の一覧用画面が同時に表示される一覧」に、引用例記載の発明の「各縮小画像」は本願発明の「前記複数の画面のそれぞれに対応する」「一覧用画面」にそれぞれ相当する。
　そして、引用例記載の発明は「画面Ｐ２が表示面１１ｃに表示され、この画面Ｐ２のアイコン５００上にユーザが指でタッチすると、タッチによる入力位置が所定時間内に変位するか否かが判断され、所定時間内に“アプリ９”のアイコン５００上から矢印に示す如く指が移動すると、入力位置が所定時間内に移動したと判断され、これにより、アイコン５００の移動操作がなされ」るものであり、引用例記載の発明の「ＣＰＵ１００」は、「アイコン５００を移動する操作がされた時」に「縮小画像群Ｒ」を表示するものであるから、引用例記載の発明の「ＣＰＵ１００」は、本願発明の「前記コントローラは、前記ディスプレイに表示させている１つの前記画面において、前記画面の特定の位置に前記アイコンを移動させる操作を検出した場合に、前記複数の画面のそれぞれに対応する複数の一覧用画面が同時に表示される一覧を前記ディスプレイに表示させ」ることと、「前記コントローラは、前記ディスプレイに表示させている１つの前記画面において、前記アイコンを移動させる操作を検出した場合に、前記複数の画面のそれぞれに対応する複数の一覧用画面が同時に表示される一覧を前記ディスプレイに表示させ」る点で共通するといえる。
え）引用例記載の発明の「縮小画像群Ｒ」は、「画面群Ｐを縮小」したもので、「各画面に相当する縮小画像を有」するものであり、「画面群Ｐ」は、「１つまたは２つ以上の画面を有し、画面群Ｐの中から１つの画面を表示面１１ｃに表示」するものであるから、「縮小画像群Ｒ」は、表示面１１ｃに表示されていなかった「画面群Ｐ」中の画面に対応する「縮小画像」を有するものであることは明らかであり、引用例記載の発明が「縮小画像群Ｒ」を表示することは、本願発明の「前記一覧には前記画面に対応する一覧用画面が表示され、該一覧用画面のうちの少なくとも１つは、前記コントローラが、前記画面の特定の位置に前記アイコンを移動させる操作を検出した場合に、前記ディスプレイに表示されていなかった画面に対応する一覧用画面である」ことと、「前記一覧には前記画面に対応する一覧用画面が表示され、該一覧用画面のうちの少なくとも１つは、前記コントローラが、前記アイコンを移動させる操作を検出した場合に、前記ディスプレイに表示されていなかった画面に対応する一覧用画面である」点で共通するといえる。
お）引用例記載の発明の「携帯電話機１」は、「電子機器」といい得るものである。
　よって、両者は以下の一致点と相違点とを有する。
〈一致点〉
　「アイコンを含む画面を表示するディスプレイと、
　複数の前記画面から少なくとも１つの前記画面を前記ディスプレイに表示させるコントローラと、を備え、
　前記コントローラは、前記ディスプレイに表示させている１つの前記画面において、前記アイコンを移動させる操作を検出した場合に、前記複数の画面のそれぞれに対応する複数の一覧用画面が同時に表示される一覧を前記ディスプレイに表示させ、
　前記一覧には前記画面に対応する一覧用画面が表示され、該一覧用画面のうちの少なくとも１つは、前記コントローラが、前記アイコンを移動させる操作を検出した場合に、前記ディスプレイに表示されていなかった画面に対応する一覧用画面である電子機器。」である点。
〈相違点１〉
　本願発明は、「複数の画面の一覧を前記ディスプレイに表示」させる「アイコンを移動させる操作」が、「前記画面の特定の位置」にアイコンを移動させる操作であり、「前記特定の位置は、前記ディスプレイに表示させている前記画面の一部の位置」であるのに対し、引用例記載の発明は、そのような特定の位置にアイコンを移動させる操作とはされていない点。
〈相違点２〉
　本願発明は、「前記ディスプレイに表示させている１つの前記画面において、前記画面の特定の位置に前記アイコンを移動させる操作を検出するまでは、前記画面の特定の位置に前記アイコンを移動させている間は、前記複数の画面のそれぞれに対応する複数の一覧用画面が同時に表示される一覧を前記ディスプレイに表示させ」ないものであるのに対し、引用例記載の発明は、「アイコン５００を移動する操作がされた時」に「縮小画像群Ｒ」を表示するもの（アイコンを移動させる操作を検出した場合に、前記複数の画面のそれぞれに対応する複数の一覧用画面が同時に表示される一覧を前記ディスプレイに表示するもの）である点。
４．判断
〈相違点１および２について〉
　上記摘記事項ｆ）に摘記したように、周知例１には、アイコンをページ間で移動させる場合に、現在表示されているページ301の右端にアイコン1aを移動することにより次のページ302が表示されることが記載され、上記摘記事項ｇ）に摘記したように、周知例２には、アイコンを次のページに並べ替えたいときに、アイコンをドラッグして画面の左右に移動して少し待つと、ページが切り替わることが記載されるように、表示されている画面の特定位置までアイコンを移動させることにより、アイコンの移動先を表示させることは、本願出願前周知技術である。
　そして、引用例記載の発明において、「縮小画像群Ｒ」の表示のタイミングは、「この縮小画像群Ｒは、ユーザにより操作されたタイミングや予め定められたタイミングに表示され、たとえば、ユーザにより、アイコン５００を移動する操作がされた時が挙げられ」るとあるように、アイコンを移動させる操作の検出に限らず、任意のものであり、引用例記載の発明においても、上記周知技術は有用かつ採用可能であり、また、採用を妨げる事情はないから、引用例記載の発明に上記周知技術を適用して、表示されている画面の特定の位置にアイコンを移動させる操作をした場合に「縮小画像群Ｒ」を表示し、本願発明の上記相違点１に係る構成を得ることは、当業者が容易になし得たことである。
　また、引用例記載の発明に上記周知技術を適用したものは、表示されている画面の特定の位置にアイコンを移動させる操作をした場合に「縮小画像群Ｒ」を表示させるのであるから、アイコンを移動させ、アイコンが「画面の特定の位置」に来るまでの間は、「縮小画像群Ｒ」が表示されないのは明らかであり、引用例記載の発明に上記周知技術を適用したものは、本願発明の上記相違点２に係る構成を有するといえる。
　したがって、引用例記載の発明に上記周知技術を適用して、上記相違点１，２に係る構成を得ることは、当業者が容易になし得たことである。
　そして、本願発明が奏する作用、効果についてみても、引用例記載の発明に上記周知技術を適用したものから当業者が予想できる程度のものである。
５．むすび
　以上のとおり、本願発明は、引用例記載の発明及び上記周知技術に基づいて、当業者が容易に発明をすることができたものであるから、特許法第２９条第２項の規定により特許を受けることができないものである。
　したがって、本願は、その他の請求項について検討するまでもなく、拒絶されるべきものである。
　よって、結論のとおり審決する。